(57)【要約】【課題】全てのカフに適用可能であり、トリアージも同時に行うことができる使い捨て型のマンシェットカバーを提供する。【解決手段】人体の上腕部に巻回される長尺な主カバー２０と、主カバー２０の一方の辺に沿って連設され、主カバー２０側に折り重ね可能で、主カバーよりも短尺な副カバー３０とを有し、主カバー２０および副カバー３０にカフを収納するためのカフ収納部２１，３１をそれぞれ割り当てる。【選択図】  図１
2008029684.tif 000002
【特許請求の範囲】
【請求項１】
内部に血圧測定用のカフが収納されるマンシェットカバーにおいて、
上記カフの大きさに応じて選択的に用いられる少なくとも２つのカフ収納部を備えていることを特徴とするマンシェットカバー。
【請求項２】
人体の上腕部に巻回される長尺な主カバーと、上記主カバーの一方の辺に沿って連設され、上記主カバー側に折り重ね可能で、上記主カバーよりも短尺な副カバーとを有し、上記主カバーおよび副カバーに上記カフ収納部がそれぞれ割り当てられていることを特徴とする請求項１に記載のマンシェットカバー。
【請求項３】
上記主カバーには、上記カフに設けられたカフチューブを上記カフ収納部から引き出すための第１チューブ引出孔が設けられていることを特徴とする請求項２に記載のマンシェットカバー。
【請求項４】
上記第１チューブ引出孔は、上記主カバーの少なくとも２カ所設けられていることを特徴とする請求項３に記載のマンシェットカバー。
【請求項５】
上記副カバーには、上記カフに設けられたカフチューブを上記カフ収納部から引き出すための第２チューブ引出孔が設けられていることを特徴とする請求項２に記載のマンシェットカバー。
【請求項６】
上記主カバーおよび上記副カバーには、各カバー同士を重ね合わせた状態で固定するための固定手段が設けられていることを特徴とする請求項２に記載のマンシェットカバー。
【請求項７】
上記主カバーには、上記主カバーを上腕部に巻回する際、上記カフの中心を上腕動脈に合わせるための位置決め手段が設けられていること特徴とする請求項２に記載のマンシェットカバー。
【請求項８】
上記主カバーには、上記主カバーを上記上腕部に巻回した状態で固定するための一対の面ファスナーが設けられており、上記面ファスナーの係着面には、カフ圧による周方向の係着状態のズレを示す第１警告手段が設けられていることを特徴とする請求項２に記載のマンシェットカバー。
【請求項９】
上記副カバーには、上記上腕部に巻回した状態で上記カフを膨張した際、軸方向のズレを示す第２警告手段が設けられていることを特徴とする請求項２に記載のマンシェットカバー。
【請求項１０】
内部に血圧測定用のカフが収納されるマンシェットカバーにおいて、
上腕部に巻回する際、上記カフの中心を上腕動脈に合わせるための位置決め手段が設けられていること特徴とするマンシェットカバー。
【請求項１１】
内部に血圧測定用のカフが収納されるマンシェットカバーにおいて、
上腕部に巻回した状態で固定するための一対の面ファスナーが設けられており、上記面ファスナーの係着面には、カフ圧による周方向の係着状態のズレを示す第１警告手段が設けられていることを特徴とするマンシェットカバー。
【請求項１２】
内部に血圧測定用のカフが収納されるマンシェットカバーにおいて、
上腕部に巻回した状態で上記カフを膨張した際、軸方向のズレを示す第２警告手段が設けられていることを特徴とするマンシェットカバー。
【請求項１３】
内部に血圧測定用のカフが収納されるマンシェットカバーにおいて、
被装着者の身体状態や特徴を記載するための特徴記載部を備えていることを特徴とするマンシェットカバー。
【請求項１４】
内部に血圧測定用のカフが収納されるマンシェットカバーにおいて、
トリアージ、または、被装着者の身体状態や性別、けがの状態によって色分けされていることを特徴とするマンシェットカバー。
【請求項１５】
請求項１ないし１１のいずれか１項に記載のマンシェットカバーを有することを特徴とするマンシェット。
【発明の詳細な説明】
【技術分野】
【０００１】
本発明は、血圧測定用のカフに取り付けられるマンシェットカバーに関し、さらに詳しく言えば、カフの汚染防止や患者の身体的負担を考慮し、さらにトリアージも同時に行える使い捨てのマンシェットカバーに関する。
【背景技術】
【０００２】
事故や災害時などが発生した場合、短時間に多数のけが人や病人が医療機関での診療・治療を求めて殺到するおそれがある。しかしながら、医療機関の機能（医療スタッフや器材、医薬品など）には限りがあり、災害時の制約された条件下で１人でも多くの傷病者に対して治療を行うためには、病気やケガの緊急度や重症度によって治療や後方搬送の優先順位を決めることが必要になる。
【０００３】
このような優先順位の振り分け作業は「トリアージ」と呼ばれ、トリアージにはトリアージタグと呼ばれる識別表が用いられる。通常、トリアージタグとは、傷病の緊急度や重症度に応じて４段階（赤・黄・緑・黒）に色分けされ、患者の身体に取り付けて使用される。また、トリアージタグは、患者の症状や血圧、血液型などを記載する簡易カルテとしても用いられる。
【０００４】
通常、トリアージ作業は、トリアージオフィサー（トリアージ実施責任者）と呼ばれる医師または看護師が判別を行い、同時に患者の血圧や心拍数などの測定を行うことになっている。
【０００５】
ところで、一般に医療器具を不特定多数の患者に使用することは、血液感染などの二次的な被害を引き起こすおそれがあるため、注射針などは一切の二次使用を禁じているし、血圧測定に用いられるマンシェットは、患者への接触面積が大きいため、一度使ったものは確実に消毒する必要があった。
【０００６】
しかしながら、上述した緊急事態の場合、マンシェットからカフをいちいち取り外して消毒することは困難である。そこで、例えば特許文献１に示すような使い捨てのマンシェットカバーが提供されている。
【０００７】
このマンシェットカバーは、不織布などの紙製シートをカフに貼り合わせることにより、カフを覆い隠すことができる点が開示されている。しかしながら、このマンシェットカバーには次のような問題がある。
【０００８】
すなわち、一般に血圧計は、水銀式血圧計用、アネロイド型血圧計用、自動血圧計などがあり、それぞれの血圧計によってカフの形状が異なっているため、全てのカフに特許文献１に記載のマンシェットカバーを適用することは不可能である。
【０００９】
また、一部のカフには、カバーを一体成型した大型タイプもあり、このタイプにカバーを貼り合わせることはできない。さらには、上述した緊急時に特許文献１のマンシェットカバーをカフに貼り付けることは、時間的にも、人員的にも不可能に近い。
【００１０】
【特許文献１】特開平８−５７９号公報
【発明の開示】
【発明が解決しようとする課題】
【００１１】
そこで、本発明は上述した課題を解決するため、全てのカフに適用可能であり、トリアージも同時に行うことができる使い捨て型のマンシェットカバーを提供することにある。
【課題を解決するための手段】
【００１２】
上述した目的を達成するため、本発明は以下に示すいくつかの特徴を備えている。請求項１に記載の発明は、内部に血圧測定用のカフが収納されるマンシェットカバーにおいて、上記カフの大きさに応じて選択的に用いられる少なくとも２つのカフ収納部を備えていることを特徴としている。
【００１３】
請求項２に記載の発明は、上記請求項１において、人体の上腕部に巻回される長尺な主カバーと、上記主カバーの一方の辺に沿って連設され、上記主カバー側に折り重ね可能で、上記主カバーよりも短尺な副カバーとを有し、上記主カバーおよび副カバーに上記カフ収納部がそれぞれ割り当てられていることを特徴としている。
【００１４】
請求項３に記載の発明は、上記請求項２において、上記主カバーには、上記カフに設けられたカフチューブを上記カフ収納部から引き出すための第１チューブ引出孔が設けられていることを特徴としている。
【００１５】
請求項４に記載の発明は、上記請求項３において、上記第１チューブ引出孔は、主カバーの少なくとも２カ所設けられていることを特徴としている。
【００１６】
請求項５に記載の発明は、上記請求項２において、上記副カバーには、上記カフに設けられたカフチューブを上記カフ収納部から引き出すための第２チューブ引出孔が設けられていることを特徴としている。
【００１７】
請求項６に記載の発明は、上記請求項２において、上記主カバーおよび上記副カバーには、各カバー同士を重ね合わせた状態で固定するための固定手段が設けられていることを特徴としている。
【００１８】
請求項７に記載の発明は、上記請求項２において、上記主カバーには、上記主カバーを上腕部に巻回する際、上記カフの中心を上腕動脈の中心に合わせるための位置決め手段が設けられていること特徴としている。
【００１９】
請求項８に記載の発明は、上記請求項２において、上記主カバーには、上記主カバーを上記上腕部に巻回した状態で固定するための一対の面ファスナーが設けられており、上記面ファスナーの係着面には、カフ圧による周方向の係着状態のズレを示す第１警告手段が設けられていることを特徴としている。
【００２０】
請求項９に記載の発明は、上記請求項２において、上記副カバーには、上記上腕部に巻回した状態で上記カフを膨張した際、軸方向のズレを示す第２警告手段が設けられていることを特徴としている。
【００２１】
請求項１０に記載の発明は、内部に血圧測定用のカフが収納されるマンシェットカバーにおいて、上腕部に巻回する際、上記カフの中心を上腕動脈に合わせるための位置決め手段が設けられていること特徴としている。
【００２２】
請求項１１に記載の発明は、内部に血圧測定用のカフが収納されるマンシェットカバーにおいて、上腕部に巻回した状態で固定するための一対の面ファスナーが設けられており、上記面ファスナーの係着面には、カフ圧による周方向の係着状態のズレを示す第１警告手段が設けられていることを特徴としている。
【００２３】
請求項１２に記載の発明は、内部に血圧測定用のカフが収納されるマンシェットカバーにおいて、上腕部に巻回した状態で上記カフを膨張した際、軸方向のズレを示す第２警告手段が設けられていることを特徴としている。
【００２４】
請求項１３に記載の発明は、内部に血圧測定用のカフが収納されるマンシェットカバーにおいて、被装着者の身体状態や特徴を記載するための特徴記載部を備えていることを特徴としている。
【００２５】
請求項１４に記載の発明は、内部に血圧測定用のカフが収納されるマンシェットカバーにおいて、トリアージ、または、被装着者の身体状態や性別、けがの状態によって色分けされていることを特徴としている。
【００２６】
本発明には、請求項１ないし１１のいずれか１項に記載のマンシェットカバーを備えた請求項１５に記載のマンシェットも含まれる。
【発明の効果】
【００２７】
請求項１に記載の発明によれば、カフの大きさに応じて選択的に用いられるカフ収納部を設けたことにより、１つのマンシェットカバーで複数種のカフに対応させることができる。
【００２８】
請求項２に記載の発明によれば、例えばアネロイド型血圧計用の大きいカフは主カバー側のカフ収納部に収納し、水銀血圧計などの小さい標準サイズのカフは副カバー側のカフ収納部に収納することにより、カフの大きさにカフ収納物を使い分けることができる。
【００２９】
請求項３，４に記載の発明によれば、主カバーのカフ収納部にカフチューブを引き出すための第１チューブ引出孔を２カ所設けたことにより、カフの大きさや形状に応じてカフチューブの引き出し位置を自在に変えることができる。
【００３０】
請求項５に記載の発明によれば、副カバーのカフ収納部にもカフチューブ引き出し用の第２カフチューブ引出孔を設けたことにより、カフチューブをカバー外に簡単に引き出すことができる。
【００３１】
請求項６に記載の発明によれば、主カバーと副カバーを重ね合わせた状態で固定するための固定手段を設けたことにより、副カバーを主カバーに折り重ねた状態で固定でき、カフ圧によって、副カバーがずれることを防止することができる。
【００３２】
請求項７に記載の発明によれば、主カバーの一部にマンシェットを上腕部に巻回する際上腕動脈の位置にカフの中心を位置合わせるための位置決め手段を設けたことにより、マンシェットを上腕部に速やか、かつ、正確に装着することができる。
【００３３】
請求項８に記載の発明によれば、主カバーに設けられた一対の面ファスナーの係着面の一部に、カフ圧によって主カバーが周方向にずれたことを示す第１警告手段を設けたことにより、マンシェットの周方向の位置ズレを容易に判別することができ、位置の修正も簡単に行うことができる。
【００３４】
請求項９に記載の発明によれば、副カバーの一部に、カフ圧によって軸方向のズレが発生したことを示す第２警告手段をさらに設けたことにより、マンシェットの軸方向の位置ズレを容易に判別することができ、位置の修正も簡単に行うことができる。
【００３５】
請求項１０に記載の発明によれば、上腕動脈の位置にマンシェットのカフの中心を簡単に当てることができる。
【００３６】
請求項１１および１２に記載の発明によれば、マンシェットの周方向および軸方向の係着状態のズレを示す第１警告手段および第２警告手段を備えていることにより、カフ圧によってマンシェットが周方向および軸方向にズレが発生したことを簡単に判別することができる。
【００３７】
請求項１３および請求項１４に記載の発明によれば、マンシェットの被装着者の身体状態や特徴などを記載するための特徴記載部を備え、また身体状態や性別などによって色分けすることにより、トリアージタグとしても使用することができる。
【００３８】
本発明のマンシェットカバーを装着したマンシェットを用いることにより、１人の患者にマンシェットを取り付けたまま、搬送から診察・診療までの一連の医療作業を行うことができるばかりでなく、緊急時にはトリアージタグとしての機能も得られる。
【発明を実施するための最良の形態】
【００３９】
次に、本発明のマンシェットカバーについて図面を参照しながら説明する。図１は本発明の一実施形態に係るマンシェットカバーの正面図であり、図２はその背面図であり、図３はＡ−Ａ線断面図である。
【００４０】
図１に示すように、このマンシェットカバー１は、人体の上腕部に巻回される長尺な主カバー２０と、主カバー２０の一方の辺（図１では上辺）に一体的に連接され、主カバー２０よりも短尺な副カバー３０とを備えている。
【００４１】
マンシェットカバー１０は、１枚の不織布を縫合して形成されており、油性ペンなどによって、表面に被装着者の性別や血液型、症状などの各種情報を書き込むことができるようになっている。
【００４２】
この例において、マンシェットカバー１０は、不織布が用いられているが、これ以外に、紙製や布製であってもよく。コストが安く、通気性のよく、カフ圧に耐える強度を有し、ペンによって文字を書き込むことが可能なものであれば、その素材は特に限定されない。
【００４３】
マンシェットカバー１０は、表面の全面が特徴記載部として、ペンによる書き込みがであるが、例えば血圧や血液型、年齢や症状、アレルギーなど記載するためのカルテ欄を印刷してもよい。
【００４４】
マンシェットカバー１０は、トリアージ、または、被装着者の身体状態や性別、けがの状態によって色分けされている。すなわち、緊急災害時には、上記特徴記載部と併せてトリアージタグとして用いることができる。
【００４５】
また、例えば肝炎ウイルスの感染者であるとか、妊娠中などといった患者の個別的な特徴を医療スタッフの間で一目で判断できるようにするようにするために用いることもできる。好ましい色としては、白色、緑色、黄色、赤色、青色、およびピンクがあるが、これ以外の色であってもよい。
【００４６】
本発明のマンシェットカバー１０の説明するに先立ち、マンシェットカバー１０が取り付けられるカフの構成について説明する。図４に示すように、カフ１はゴム製の枕型バルーンからなり、カフ１内に連通する２本のカフチューブ２，２を一体に備えている。
【００４７】
２本のカフチューブ２，２のうち、一方のカフチューブ２には、カフ１内に空気を送り込むための図示しないハンドポンプが接続され、他方のカフチューブ２には、水銀計など血圧計に接続される。図４において、カフチューブ２，２はカフ１に対して右寄りに配置されているが、種類によってはカフ１の中央（図４の鎖線部）に配置されている場合もある。
【００４８】
カフ１は、水銀血圧計に用いられる通常サイズ（図４のハッチング部）のほか、アネロイド型血圧計や自動血圧計によく見られる大型のカフ１ａ（図４の鎖線部）もある。さらには、カフ１にカバーが一体成形された一体型カフ１ｂ（図４の１点鎖線部）もある。本発明のマンシェットカバー１０は、全てのタイプのカフ１，１ａ，１ｂに適用可能である。
【００４９】
次に、図１および図３を参照して、主カバー２０は、人体の上腕部に巻回するに十分な長さを有する帯状に形成されており、内部には、血圧測定用のカフ１（図４参照）が収納される第１カフ収納部２１が袋状に形成されている。この例において、主カバー２０の全長は５７０ｍｍであり、全幅は１５０ｍｍである。
【００５０】
主カバー２０の一方の辺（図１では上辺）の一部には、第１カフ収納部２１に連通する第１開口部２２が設けられており、それ以外の辺は縫合などによって閉じられてる。この例において、第１開口部２２は、カフ１が内部で動かないように、副カバー３０の長手方向（図１では左右方向）の長さとほぼ同じ長さ（この例では２７０ｍｍ）に開口されている。
【００５１】
主カバー２０の他方の辺（図１では下辺）には、カフ１のカフチューブ２が引き出される第１引出孔２３，２４が２カ所設けられている。一方の第１引出孔２３は、図４に示すカフチューブ２がカフ１の左右いずれかに寄ったタイプのときに使用される。また、他方の第１引出孔２４は、カフチューブ２がカフ１の中央に設けられているタイプの場合に使用される。
【００５２】
この例において、第１引出孔２３は、主カバー２０の左端から７５ｍｍの位置に配置され、その開口幅は２５ｍｍである。また、第２引出孔２３は、主カバー２０の左端から１７０ｍｍの位置に配置され、その開口幅は３５ｍｍである。第１引出孔２３，２４の開口幅は異なっているが、同一幅であってもよい。
【００５３】
本発明において、第１引出孔２３，２４は２カ所設けられているが、第１引出孔２３，２４の位置や数は任意であり、カフチューブ２の引き出し位置が合わない場合は、カッターなどを使ってマンシェットカバー１０の任意の場所を切り裂いて、好きな位置に第１引出孔を形成してもよい。
【００５４】
主カバー２０の先端側（図１では左端側）には、主カバー２０の端部の補強するための補強材２５が設けられている。この例において、補強部材２５は平板状の木片からなるが、補強材２５の材質や形状は、仕様に応じて任意に変更可能である。
【００５５】
主カバー２０の他方の辺（図１では下辺）には、副カバー３０を主カバー２０に折り重ねた状態で固定する固定手段としての一対の固定紐２６，２７が設けられている。紐２６，２７は、副カバー３０側に設けられた固定紐３６，３７と対称位置に配置されている。
【００５６】
主カバー２０にはさらに、主カバー２０を上腕部に巻回した状態で固定するための固定手段として一対の面ファスナー４１，４２が設けられている。一方の面ファスナー４１は、図１に示すように、主カバー２０の表面の一端側（図１では右端側）に幅方向に沿って矩形状に配置されている。
【００５７】
他方の面ファスナー４２は、図２に示すように、主カバー２０の裏面の他端側（図２では右端側）から中央にかけて長手方向に延在している。この例において、一方の面ファスナー４１，４２の各係着面は、面ファスナー４１側がループ面であり、面ファスナー４２側がフック面であるが、逆であってもよい。
【００５８】
図１に示すように、面ファスナー４１の係着面には、カフ圧によってマンシェットカバー１０の係着状態が周方向にズレたことを示す第１警告手段４３が設けられている。第１警告手段４３は、面ファスナー４１の端部（図１では右端部）から所定長さ、この例では１５ｍｍ内側に配置された第１警告線４３である。
【００５９】
ここで、本発明のいう周方向とは、上腕部の円周方向をいう。この例において、第１警告線４３は判別しやすいように赤色に着色されている。
【００６０】
図２に示すように、他方の面ファスナー４２には、マンシェットを上腕部に巻回する際に上腕動脈の位置にカフ１の中心を位置合わせるための位置決め手段としての位置決め線４４が設けられている。この例において、位置決め線４４は視認しやすいように赤色に着色されている。
【００６１】
位置決め線４４は、主カバー２０内のカフ１の中心位置に相対的に合致する位置に設けられている。この例において、位置決め線４４は、主カバーの右端（図２参照）から１５０ｍｍの位置に配置されている。
【００６２】
次に、図１および図３を参照して、副カバー３０は、主カバー２０よりも短尺な帯状に形成されており、内部には、血圧測定用のカフ１（図４参照）が収納される第２カフ収納部３１が袋状に形成されている。
【００６３】
この例において、副カバー３０の全長は２７０ｍｍで全幅は１５０ｍｍであり、主カバー２０に折り畳むことにより、主カバー３０に沿って折り重ねることができるようになっている。
【００６４】
副カバー３０の一方の辺（図１では下辺）の一部には、第２カフ収納部３１に連通する第２開口部３２が設けられており、それが以外の辺はすべて縫合などによって閉じられている。
【００６５】
副カバー３０には、第２収納部３１にカフ１が収納された場合に、そのカフチューブ２が引き出される第２引出孔３３が設けられている。第２引出孔３３は、副カバー３０の第２開口部３２の裏面側（図２参照）に設けられており、この例では、４０ｍｍの開口幅に開口されている。
【００６６】
この例において、第２引出孔３３は、第２開口部３２に沿って１カ所だけ設けられているが、２カ所以上設けられていてもよい。さらには、その設置位置も第２開口部３２側の辺ではなく、上辺側に設けられていてもよい。
【００６７】
副カバーには、上腕部に巻回した状態でカフ１を膨張した際、軸方向のズレを示す第２警告手段としての第２警告線３４，３５が設けられている。ここで、本発明の言う軸方向とは、上腕部の長さ方向をいう。
【００６８】
図２に示すように、第２警告線３４，３５は、副カバー３０の第２開口部３２よりも内側（この例では第２開口部３２の○ｍｍ内側）に左右対称に形成されている。この例において、第２警告線３４，３５は視認しやすいように赤色に着色されている。
【００６９】
副カバー３０にはさらに、副カバー３０を主カバー２０側に折り重ねた状態で固定するための他方の固定手段としての固定紐３４，３５が設けられている。固定紐３６，３７は副カバー３０の上辺の両端に設けられている。
【００７０】
この例において、主カバー２０と副カバー３０の固定手段は、コストを安くするため、固定紐２６，２７（３６，３７）によって構成されているが、これ以外にたとえば面ファスナーやボタンなどによって固定するようにしてもよく、主カバー２０と副カバー３０とを固定できる方法であれば仕様に応じて任意に変更可能である。
【００７１】
次に、図５（ａ）〜（ｄ）を参照して、主カバー２０にカフ１（１ａ，１ｂ）を収納する組立手順の一例について説明する。主カバー２０には大型のカフ１（１ａ，１ｂ）が収納される。
【００７２】
まず、図５（ａ）に示すように、第１開口部２２を指などで軽く広げたのち、そこからカフ１（１ａ，１ｂ）の先端を折れ曲がらないように徐々に差し込んでゆく。次に、図５（ｂ），（ｃ）に示すように、カフ１（１ａ，１ｂ）が第１カフ収納部２１に確実に収納したのち、第１引出孔２３，２４のいずれかからカフチューブ２を引き出す。この例では第１引出孔２３が用いられる。
【００７３】
第１収納部２１にカフ１（１ａ，１ｂ）を収納したのち、図５（ｄ）に示すように、副カバー３０を主カバー２０に沿って折り重ねるとともに、各固定紐２６，３６（２７，３７）同士を結んで主カバー２０と副カバー３０とを固定する。
【００７４】
このとき、副カバー３０に設けられた第２警告線３４，３５が主カバー２０の内側になるように折り曲げる。以上により、マンシェットカバー１０が取り付けられ、マンシェットとして使用可能な状態となる。
【００７５】
次に、図６（ａ）〜（ｄ）を参照して、副カバー３０にカフ１（１ａ，１ｂ）を収納する組立手順の一例について説明する。副カバー３０には通常サイズのカフ１が収納される。まず、図６（ａ）に示すように、第２開口部３２を指などで軽く広げた後、そこからカフ１を差し込む。
【００７６】
カフ１を第２収納部３１内に収納したのち、図６（ｂ），（ｃ）に示すように、カフチューブ２を第２引出孔３２から外に引き出す。このとき、もしカフチューブ２の位置が既存の第２引出孔３２と合わない場合には、カッターなどを用いて任意の場所に切れ込みを入れて、そこからカフチューブ２を引き出してもよい。
【００７７】
カフチューブ２を引き出したのち、図６（ｄ）に示すように、副カバー３０を主カバー２０に沿って折り重ねるとともに、各固定紐２６，３６（２７，３７）同士を結んで主カバー２０と副カバー３０とを固定する。
【００７８】
このとき、副カバー３０に設けられた第２警告線３４，３５が主カバー２０の内側になるように折り曲げる。以上により、マンシェットカバー１０が取り付けられ、マンシェットとして使用可能な状態となる。
【００７９】
このマンシェットを使用するに当たっては、図示しないハンドポンプや血圧計をカフチューブ２に取り付けたのち、図７に示すように、人体上腕部Ａの上腕動脈（図７では仮想線Ｌ）の上にマンシェットカバー１０の位置決め線４４がほぼ重なるようにした上でマンシェットカバー１０を上腕部に巻回する。
【００８０】
これにより、上腕動脈がカフ１の中心に配置され、上腕部にマンシェットが装着される。この状態でカフを加圧してゆくことで、正確な血圧測定を行う。このとき、面ファスナー４２，４３の係着状態が悪いと、図８に示すように、主カバー２０の端部が捲れ上がり、面ファスナー４１の係着面に設けられた第１警告線４３が現れる。
【００８１】
第１警告線４３が見えた状態のまま、計測を続けると、正確な血圧が測定できない。そこで、第１警告線４３が見えた場合には、マンシェットを巻き直して再計測する必要がある。
【００８２】
同様に、カフ圧を加えていった際、カフ１の膨張によって副カバー３０に周方向に生じると、副カバー３０の内側にあった第２警告線３４，３５が外側に捲れて現れる。このときもまた、正確な血圧測定ができないため、再度まき直してから再計測する必要がある。
【００８３】
以上説明したように、本発明のマンシェットカバーは、まず、最初に色分けしたマンシェットカバー１０を用いることで、患者の状態を一目で判断することができる。また、ペンなどでその状態を書き込むことができ、トリアージや簡易カルテとして使用することができる。
【００８４】
また、大きさの異なる様々なカフを収納することができ、使用場所や設備に限定されずに使用することができる。さらには、血圧測定時にずれが発生した場合、それを示す警告手段を備えていることにより、正確な血圧測定を実施できる。
【図面の簡単な説明】
【００８５】
【図１】本発明の一実施形態に係るマンシェットカバーの正面図。
【図２】本発明の一実施形態に係るマンシェットカバーの背面図。
【図３】図１および図２のＡ−Ａ線断面図。
【図４】本発明のマンシェットカバーに使用されるカフの模式図。
【図５】（ａ）〜（ｄ）主カバーにカフを収納する手順を説明する説明図。
【図６】（ａ）〜（ｄ）副カバーにカフを収納する手順を説明する説明図。
【図７】本発明のマンシェットカバーの使用手順を説明する説明図。
【図８】本発明のマンシェットカバーの警告手段を説明する説明図。
【符号の説明】
【００８６】
１  カフ
２  カフチューブ
１０  マンシェットカバー
２０  主カバー
２１  第１カフ収納部
２２  第１開口部
２３，２４  第１引出孔
２５  補強材
２６，２７  固定紐
３０  副カバー
３１  第２カフ収納部
３２  第２開口部
３３  第２引出孔
３４，３５  第２警告線
３６，３７  固定紐
４１，４２  面ファスナー
４３  第１警告線
【図１】
2008029684.tif 000003
【図２】
2008029684.tif 000004
【図３】
2008029684.tif 000005
【図４】
2008029684.tif 000006
【図５】
2008029684.tif 000007
【図６】
2008029684.tif 000008
【図７】
2008029684.tif 000009
【図８】
2008029684.tif 000010
【手続補正書】
【提出日】平成18年12月26日(2006.12.26)
【手続補正１】
【補正対象書類名】明細書
【補正対象項目名】００６８
【補正方法】変更
【補正の内容】
【００６８】
図２に示すように、第２警告線３４，３５は、副カバー３０の第２開口部３２よりも内側（この例では第２開口部３２の６ｍｍ内側）に左右対称に形成されている。この例において、第２警告線３４，３５は視認しやすいように赤色に着色されている。